(57)【要約】      （修正有）【課題】従来はストレッチフィルムを幾重にも巻いて積載物の荷崩れを防止してきたが、この固定方法では作業時間が長くかかる事とストレッチフィルムは一度の使い切りで再利用できない事と、ストレッチフィルムの廃棄費用がかかる欠点があった。又、使用済みストレッチフィルムの廃棄物を焼却処理した場合、多量の炭酸ガスを発生させるため、環境への影響も好ましい状態ではなかった。これらの欠点を改善し、積載物を固定するのに作業者一人で短時間に作業が完了できる固定手段を提供する。【解決手段】１００ｍｍ〜１５０ｍｍ×２００ｍｍ〜２５０ｍｍで厚さ１ｍｍ〜５ｍｍの長方形板の短手方向の一方の先端を段ボール箱底部とパレットの間に挿入固定し、長方形板の短手方向のもう一方の先端部にゴム製紐を取り付け、ゴム製紐先端部に荷崩れ防止ネットに結合できる部材を設けて、荷崩れ防止ネットと結合させる。【選択図】図３
0003133972.tif 000002
【実用新案登録請求の範囲】
【請求項１】
１００ｍｍ〜１５０ｍｍ×２００ｍｍ〜２５０ｍｍで厚さ１ｍｍ〜５ｍｍの長方形板の短手方向の一方の先端に、長さ３００ｍｍ〜５００ｍｍのゴム製紐を取り付けゴム製紐先端部に荷崩れ防止ネットに結合できる部材を設けたことを特徴とするパレット積載物の荷崩れ防止ネット固定用挿入バンド。
【請求項２】
前記、請求項１記載の長方形板の短手方向挿入部が、先端に向かって薄くなるように勾配を設けた構造になっている事を特徴とするパレット積載物の荷崩れ防止ネット固定用挿入バンド。
【考案の詳細な説明】
【技術分野】
【０００１】  本考案は荷物運搬用パレット積載物の荷崩れを防止するパレット積載物の荷崩れ防止ネット固定用挿入バンドに関する。
【背景技術】
【０００２】従来、荷物運搬用パレット積載物の荷崩れを防止する手段としては、一般には積載物の周囲にストレッチフィルムを幾重にも巻いて積載物の荷崩れを防止してきた。ストレッチフィルムを幾重にも巻いて固定する方法では、その作業時間が長くかかる事とストレッチフィルムは一度の使い切り使用で再利用できない事とストレッチフィルムの廃棄費用がかかる欠点を持っていた。又、廃棄したストレッチフィルムを焼却処理した場合、多量の炭酸ガスを発生させるため、環境への影響も好ましい状態ではなかった。これらの欠点を改善する事と、積載物を固定するのに作業者一人で短時間に作業が完了できる手段の提供も望まれていた。
【考案の開示】
【考案が解決しようとする課題】
【０００３】  本考案は荷物運搬用のパレット積載物を固定する手段として、ストレッチフィルムに代わる固定手段の提供と、作業者一人で短時間にパレット積載物を固定できる手段の提供にある。
【課題を解決するための手段】
【０００４】  上記の課題を解決すべく本考案者らは鋭意検討した結果、上記の課題は次のような手段によって解決できる事がわかった。
即ち、パレットの積載物上部に荷崩れ防止ネット（１０００ｍｍ〜２０００ｍｍ×１０００ｍｍ×２０００ｍｍ）を掛け、積載物底部とパレットとの間に荷崩れ防止ネット固定用挿入バンドの長方形板（厚さ１〜５ｍｍで１００ｍｍ〜１５０ｍｍ×２００ｍｍ〜２５０ｍｍ）の先端部を挿入し、長方形板のもう一方の短手方向に取り付けたゴム製紐（３００ｍｍ〜５００ｍｍ）を適正に引張してゴム製紐先端部に配置した結合部材を荷崩れ防止ネットの４から８箇所係止することで前記課題が解決することがわかった。
【考案の効果】
【０００５】積載物上部に荷崩れ防止ネットを掛け、積載物底部とパレットの間に荷崩れ防止ネット固定用挿入バンドの長方形板を挿入し、長方形板のもう一方の短手方向に取り付けたゴム製紐を適正に引張してゴム製紐先端部に配置した結合部材を荷崩れ防止ネットに係止する態様にする事で、作業者一人でパレット積載物の固定作業が出来る事を可能とした。又、本考案の積載物の荷崩れ防止ネット固定用挿入バンドを用いる事によって、従来から行なってきたストレッチフィルムを幾重にも巻く作業時間の短縮と、ストレッチフィルムの廃棄作業の改善と廃棄費用の削減及びストレッチフィルムの焼却処理による炭酸ガスの排出の削減等に結びつけることが可能となる。
【考案を実施するための最良の形態】
【０００６】作業者一人でパレット上の積載物を固定する場合において、図３の荷崩れ防止ネット６を積載物の上に掛け、図１の荷崩れ防止ネット固定用挿入バンドの挿入先端部１ａは挿入を容易にするため、図２の傾斜部１ｃと連関し、挿入先端部に向って薄くなる傾斜を有している。荷崩れ防止ネット固定用挿入バンドは長方形板２の挿入先端部１ａ及び傾斜部１ｃを経由して積載物の段ボール箱底部とパレット７の間の任意の場所に挿入し、長方形板２を押し込み固定する。長方形板の一方の短手先端部３ａに取り付けられたゴム製紐４を適正に引張し、ゴム製紐の先端３ｂに配置した結合部材５で積載物固定ネット６に結合させれば良い。該作業を積載物の量や荷姿に応じて行なうが、結合部材５と積載物固定ネット６の結合箇所は４〜８箇所が望ましい。最終的な形態は図３の積載状態となる。
【実施例】
【０００７】以下、本考案を図面を用いて詳細に説明する。
図１は本考案の積載物荷崩れ防止ネット固定用挿入バンドの立面図である。
２、４、５が本考案の積載物荷崩れ防止ネット固定用挿入バンド本体であり、２は長方形板で段ボール箱底部とパレットの間に挿入して固定するための挿入部材である。
１ａは本考案の積載物の荷崩れ防止ネット固定用挿入バンドの挿入用先端部である。
１ｂは長方形板のゴム紐取り付け側先端部で、３ａは長方形板のゴム製紐取り付け部である。４はゴム製紐で、３ｂはゴム製紐先端部で荷崩れ防止ネット接合部材取り付け部である。５は荷崩れ防止ネット接合部材である。【０００８】図２は本考案の積載物荷崩れ防止ネット固定用挿入バンドの見取り図である。
１ｃは長方形板が挿入端に向って薄くなる勾配を有し、積載物荷崩れ防止ネット固定用挿入バンドの長方形板が段ボール箱底部とパレットの間に挿入することがスムーズで容易にできる。
図３は積載物を積載物荷崩れ防止ネットと本考案の固定用挿入バンドを使用してパレットに固定した見取り図である。
積載物荷崩れ防止ネット６は、パレット７に積載した段ボール箱の上から掛け、積載物荷崩れ防止ネット固定用挿入バンドの長方形板２の１ａ、１ｃの挿入部を段ボール箱底部とパレットの間に挿入し、ゴム製紐取り付け部３ａまで押し込んで挿入部分の摩擦力と積載物の重力によって固定する。ゴム製紐４を適度に引張して荷崩れ防止ネット接合部材５を荷崩れ防止ネット６に接合する。該作業を繰り返して、積載物荷崩れ防止ネットと荷崩れ防止ネット固定用挿入バンドを４から８箇所接合することで積載物の固定が可能となる。又、この作業は作業者一人で容易に出来る事が大きな特徴である。【０００９】図１から図３の本考案の積載物荷崩れ防止ネット固定用挿入バンドの材質と寸法について以下に説明する。
２の材質はポリエチレン、ポリプロピレン、塩化ビニール、ポリスチレン等の合成樹脂で厚さ１ｍｍから５ｍｍで、長方形板の短手方向は１００ｍｍから１５０ｍｍ、長方形板の長手方向は２００ｍｍから２５０ｍｍが好ましい態様であり、再利用に耐える強度がある。又、１ｃの勾配部は長方形板の長手方向に３ｍｍから１２ｍｍの距離で、長方形板先端部１ａに向って薄くなる傾斜を有する態様が好ましい。４の材質は伸縮性のある合成ゴム又は天然ゴム等を芯として、周りをナイロン、ポリエステル等の繊維や織布でカバーしたゴムバンドが好ましく、ゴムバンドの太さは７ｍｍから２０ｍｍで長さは３００ｍｍから６００ｍｍが好ましい態様である。接合部材５はステンレス等の金具が耐久性があり好ましく、長さは２０ｍｍから４０ｍｍが好ましい態様である。【００１０】図３はパレット積載物の最上部に荷崩れ防止ネット６を掛け、本考案の積載物の荷崩れ防止ネット固定用挿入バンド（２、４、５）で積載物を固定した積載状態図である。
例えば小さな段ボール箱やサイズの異なる段ボール箱をパレットで運搬する時や近距離を運搬するときは積載物を固定するための経費と時間が不経済であったが、本考案の積載物の荷崩れ防止ネット固定用挿入バンド（２、４、５）と荷崩れ防止ネット６を結合させて積載物を簡便で安全に固定できる。
【産業上の利用可能性】
【００１１】パレットに荷物を積載し運搬する運搬作業者及び輸送業界で、パレットへの荷物、例えば段ボール箱等を数段に重ねて積載し、該積載物を作業者一人で固定する場合において、従来利用していたストレッチフィルムに代わって荷崩れ防止ネットと本考案の積載物の荷崩れ防止ネット固定用挿入バンドが利用できる。
【図面の簡単な説明】
【００１２】
【図１】積載物の荷崩れ防止ネット固定用挿入バンドの立面図である。
【図２】積載物の荷崩れ防止ネット固定用挿入バンドの見取り図である。
【図３】パレット積載物の上部に掛ける荷崩れ防止ネットと荷崩れ防止ネット固定用挿入バンドを結合させて、パレット上の積載物を固定した見取り図である。
【符号の説明】
【００１３】１ａ、１ｂ            ：長方形板先端（短手方向）
１ｃ                  ：長方形板勾配付き挿入端
２                    ：長方形板
３ａ                  ：ゴム製紐取り付け部
３ｂ                  ：荷崩れ防止ネット接合部材取り付け部
４                    ：ゴム製紐
５                    ：荷崩れ防止ネット接合部材
６                    ：荷崩れ防止ネット
７                    ：パレット
【図１】
0003133972.tif 000003
【図２】
0003133972.tif 000004
【図３】
0003133972.tif 000005
【手続補正書】
【提出日】平成19年4月20日(2007.4.20)
【手続補正１】
【補正対象書類名】実用新案登録請求の範囲
【補正対象項目名】請求項２
【補正方法】変更
【補正の内容】
【請求項２】
前記、請求項１記載の長方形板の短手方向が、長手方向先端に向って薄くなるように勾配を設けた構造になっている事を特徴とするパレット積載物の荷崩れ防止ネット固定用挿入バンド。